(57)【特許請求の範囲】
【請求項１】
物品を載置する天板と、
前記天板を支持する支柱部と、
前記支柱部を支持し、キャスタを有する脚部と、
前記支柱部に取り付けられてトレイを支持する支持アームと、
を備えたナースカートであって、
前記支持アームが前記支柱部への取り付け部位と物理干渉しない位置の外面側にオプションを支持するための開口部を有し、前記オプションが前記開口部に吊り下げられるようにした取り付け部を備えることを特徴とするナースカート。
【請求項２】
前記取り付け部は、
前記支持アームの外面側から外側に突出するように設けられる請求項１に記載のナースカート。
【請求項３】
前記開口部は、
上方に開口する請求項１又は２に記載のナースカート。
【請求項４】
前記取り付け部は、
前記トレイ側に複数のリブを有する請求項１から請求項３のいずれか１項に記載のナースカート。
【請求項５】
前記取り付け部は、
前後方向両端部に前記オプションが有する取り付け部材の外径と略等しい長さに切り欠いた切欠き部を有する請求項４記載のナースカート。
【請求項６】
前記リブは、
下端部がテーパ形状をなしている請求項４に記載のナースカート。
【請求項７】
前記オプションは、
物品を収容するオプション本体部と、
前記オプション本体部に設置され、前記リブが設けられるピッチと合った間隔を有する取り付け部材と、
を備える請求項４に記載のナースカート。
【請求項８】
網目状に形成されるメッシュ本体部と、
前記メッシュ本体部の上部両端部に設けられ、前記トレイの側に所定の長さ延び、最上段の前記支持アームの前記切欠き部から前記取り付け部の背後に回り込み、さらに所定の長さ延びて前記リブの間に延びる上部支持部と、
前記上部支持部を最上段の前記支持アームに取り付けた場合、最下段の前記支持アームの前記取り付け部に対応する位置に設置され、最下段の前記支持アームの前記切欠き部から前記取り付け部の背後に回り込み、さらに所定の長さ延びて前記リブの間に延びる下部支持部と、
を備えるメッシュ部材をさらに備える請求項５に記載のナースカート。
【請求項９】
前記メッシュ部材は、
前記支持アームの前記トレイとは反対側に着脱可能に設置される請求項８に記載のナースカート。
【発明の詳細な説明】
【技術分野】
【０００１】
本発明は、ナースカートに関するものである。
【背景技術】
【０００２】
医療現場や看護現場において使用される、いわゆるナースカートは、ノートパソコンなどを載置する天板と、天板を支持する支柱部と、支柱部に支持されるトレイと、キャスタを有し、支柱を支持する脚部と、を備える。トレイには治療や検査に使用される器具が載置される。実際の看護現場においては、これらの器具のほか、消毒液や手袋などを入れるオプションを設置する要望が強い。
【０００３】
この点に関し、トレイの両側面にメッシュ状のオプション取り付け部を設け、このオプション取り付け部にワイヤーバスケットなどのオプションを取り付ける技術が提案されている（例えば、特許文献１。）。
【０００４】
しかし、このオプション取り付け部はナースカートのフレームなどに固定されているため、消毒や清掃に不便であった。
【０００５】
これに対し、支柱にオプション取り付け孔を設け、オプションにこのオプション取り付け孔に合う取り付け部を設けることにより、オプションを支柱に着脱可能に取り付ける技術が提案されている（例えば、特許文献２。）。
【０００６】
この技術によっては、消毒や清掃は容易となるが、オプション取り付け孔に合う取り付け部を有するオプションを別途製造する必要があり、オプション自体の製造コストが高くなってしまう。
【先行技術文献】
【特許文献】
【０００７】
【特許文献１】特開２０１３−２２６２００号公報
【特許文献２】特開２０１４−１８３８４号公報
【発明の概要】
【発明が解決しようとする課題】
【０００８】
本発明が解決しようとする課題は、消毒や清掃に便利であり、取り付け可能なオプションを安価に入手可能なナースカートを提供することである。
【課題を解決するための手段】
【０００９】
前記課題を解決するため、本発明に係るナースカートは、物品を載置する天板と、前記天板を支持する支柱部と、前記支柱部を支持し、キャスタを有する脚部と、前記支柱部に取り付けられてトレイを支持する支持アームとを備えたナースカートであって、前記支持アームが前記支柱部への取り付け部位と物理干渉しない位置の外面側にオプションを支持するための開口部を有し、前記オプションが前記開口部に吊り下げられるようにした取り付け部を備えることを特徴とする。

【発明の効果】
【００１０】
本発明によれば、消毒や清掃に便利であり、取り付け可能なオプションを安価に入手可能なナースカートを提供することができるという効果がある。
【図面の簡単な説明】
【００１１】
【図１】ナースカートの斜視図。
【図２】ナースカートの正面図。
【図３】左側の支持アームの左側斜視図。
【図４】左側の支持アームの右側斜視図。
【図５】左側の支持アームの左側面図。
【図６】左側の支持アームの右側面図。
【図７】左側の支持アームの平面図。
【図８】左側の支持アームの底面図。
【図９】左側の支持アームの正面図。
【図１０】左側の支持アームの背面図。
【図１１】図５における左側の支持アームのＡＡ線断面図。
【図１２】オプションを支持アームに取り付けたナースカートの斜視図。
【図１３】図１２の支持アーム部分の拡大斜視図。
【図１４】図１２の支持アーム部分の左側面図。
【図１５】図１２の支持アーム部分の右側面図。
【図１６】図１２の支持アーム部分の平面図。
【図１７】メッシュ部材を取り付けたナースカートを示す斜視図。
【図１８】図１７のナースカートの正面図。
【図１９】図１７のナースカートの右側面図。
【図２０】図１７の支持アーム部分の拡大斜視図。
【図２１】図１７の支持アーム部分の正面図。
【図２２】図１７の支持アーム部分の平面図。
【図２３】図１７の支持アーム部分の右側面図。
【図２４】図１７の支持アーム部分の左側面図。
【発明を実施するための形態】
【００１２】
以下、本発明の一実施形態に係るナースカートを、図面を参照して説明する。図１は本実施形態のナースカート１の斜視図、図２はナースカート１の正面図である。
【００１３】
図１及び図２に示すように、ナースカート１は、ノートパソコンなどの器具を載置する天板１０１と、天板１０１に設置されるハンドル１０２と、天板１０１を支持する支柱部１０３と、支柱部１０３を支持する脚部１０４と、脚部１０４に設置されるキャスタ１０６と、を備える。
【００１４】
天板１０１は、略水平に支柱部１０３に設置され、縁に載置物の落下を防止する縁取り１０１Ａを備える。
【００１５】
支柱部１０３は、上下方向に延び、天板１０１を下面から支持する。支柱部１０３は内部に天板１０１を昇降させる昇降部を備える。昇降部は、例えばガスシリンダ、又はラックアンドピニオン機構若しくは送りねじなどの昇降機を用いることができる。支柱部１０３は、左右一対設けられることが、安定性の観点から望ましいが、１本であってもよい。
【００１６】
支柱部１０３は、一対の支柱部１０３が互いに対向する部分にトレイ１０５を摺動可能に支持する支持アーム２００を備える。支持アーム２００は、ワイヤーバスケットなどのオプション３０１を取り付ける取り付け部２０１を、外側面すなわちトレイ１０５の反対側に有する。オプション３０１は、標準仕様以外にユーザの選択によって取り付ける部品であり、専用品のみならず汎用品も含む。オプション３０１は、例えばワイヤーによって形成される籠であるワイヤーバスケットを用いることができる。
【００１７】
脚部１０４は、前後方向に延び、床面側から支柱部１０３を支持する。脚部１０４は床面側の面にキャスタ１０６を備える。脚部１０４を横方向に指示する横部材１０４Ａにはストッパ１０７が設けられる。
【００１８】
ストッパ１０７は、足踏み式のリンク機構を備え、ペダルを踏むとピストンロッドが床面まで降下してナースカート１の水平方向の移動を規制する。
【００１９】
図３は左側の支持アーム２００の左側斜視図、図４は左側の支持アーム２００の右側斜視図、図５は左側の支持アーム２００の左側面図、図６は左側の支持アーム２００の右側面図である。また、図７は左側の支持アーム２００の平面図、図８は左側の支持アーム２００の底面図、図９は左側の支持アーム２００の正面図、図１０は左側の支持アーム２００の背面図、図１１は図５における左側の支持アーム２００のＡＡ線断面図である。
【００２０】
支持アーム２００は、左右において対称な形状をなす。以下、左側の支持アーム２００について説明する。
【００２１】
図３から図１０に示すように、支持アーム２００は、アーム本体部２１０と、取り付け部２０１と、を備える。
【００２２】
アーム本体部２１０は、長手方向に垂直な断面視において上下方向に立ち上がり、前後方向に延びる板状部２１０Ａと、板状部２１０Ａの上端からトレイ１０５側、すなわち内側に湾曲する上部フランジ部２１０Ｂと、板状部２１０Ａの下端からトレイ１０５方向に湾曲する下部フランジ部２１０Ｃと、を備える。
【００２３】
板状部２１０Ａの支柱部１０３への取り付け部位にはボルト穴２０４と、位置決め突起２０５とが設けられる。板状部２１０Ａの取り付け部以外の部位である先端部には二つの上方に開口する開口部２０２が設けられる。二つの開口部２０２の間には取り付け部２０１を支持する取付け部支持部２０３が設けられる。オプション３０１は、開口部２０２に吊り下げられる。オプション３０１は開口部２０２の適宜位置に吊り下げることができるため、用途に応じてオプション３０１を選択することが可能である。
【００２４】
支柱部１０３は、支持アーム２００のボルト穴２０４に対応する位置にボルト挿通孔を有し、位置決め突起２０５に対応する位置に位置決め孔を有する。支持アーム２００は、位置決め孔に位置決め突起２０５が挿入されることにより位置決めされ、ボルトなどの締結具によって支柱部１０３に固定される。
【００２５】
取り付け部２０１は、支柱部１０３への取り付け部位から所定距離だけ離れ、支柱部１０３への取り付け部位と物理干渉しない位置に設置される。取り付け部２０１は外面側にオプション３０１を支持する。取り付け部２０１は、支持アーム２００の外面側から外側方向に突出するように設けられる。取り付け部２０１は、取り付け部２０１の長手方向両端部及び取付け部支持部２０３によってアーム本体部２１０に支持される。取り付け部２０１は、開口部２０２に対応する位置に、開口部２０２を覆うようにトレイ１０５側とは反対側に突出する。取り付け部２０１はさらに、前後方向両端部に上方から下方に向かって切り欠いた切欠き部２０１Ａを有する。切欠き部２０１Ａの切欠きの深さは、オプション３０１の取り付け部材３０２の外径と略等しい。
【００２６】
取り付け部２０１は、トレイ１０５側の面に、上下方向に延びる複数のリブ２０６を有する。リブ２０６は、下端側がテーパ形状をなす。リブ２０６の間隔は、オプション３０１の取り付け部材３０２の外径よりも広く、オプション３０１の取り付け部材３０２の間隔より狭い。オプション３０１は、オプション３０１の取り付け部材３０２の間隔が、リブ２０６が設けられる間隔であるリブ２０６のピッチと合っているものが選ばれる。逆に、リブ２０６の間隔をオプション３０１の取り付け部材３０２の間隔に合わせて設定してもよい。図示された支持アーム２００の例においては、リブ２０６は取り付け部２０１の二つの開口部２０２に対応する位置にそれぞれ６個ずつ合計１２個設けられている。取り付け部２０１はさらに、トレイ１０５側の面にトレイ１０５の摺動をガイドするガイド突起２０８を備える。
【００２７】
上部フランジ部２１０Ｂは、下面側に二つの板バネ２０７を有する。トレイ１０５は、左右一対の支持アーム２００の下部フランジ部２１０Ｃの上に載置され、上下方向のがたつきが板バネ２０７により規制される。
【００２８】
図１２はオプション３０１を支持アーム２００に取り付けたナースカート１の斜視図、図１３は図１２の支持アーム２００部分の拡大斜視図、図１４は図１２の支持アーム２００部分の左側面図、図１５は図１２の支持アーム２００部分の右側面図、図１６は図１２の支持アーム２００部分の平面図である。
【００２９】
図１２から図１６に示すように、オプション３０１は取り付け部２０１にトレイ１０５側とは反対側から取り付けられる。
【００３０】
オプション３０１は、例えばワイヤーによって形成されるワイヤーバスケットを用いることができるが、これに限られるものではなく、樹脂製のカゴや金属製のリング、ステンレス製のゴミ箱など任意に選択できる。オプション３０１は、物品を収容するオプション本体部３０３と、オプション本体部３０３に設置される取り付け部材３０２と、を備える。
【００３１】
取り付け部材３０２は、オプション本体部３０３の側面に沿って下方から上方に延び、オプション本体部３０３の上端部付近において折り返されて、さらに下方に延びる。オプション３０１の取り付け部材３０２の長さは、取り付け部２０１に取り付けた場合にリブ２０６に達し、かつ取り付け部２０１の内部に収まる程度の長さである。一対の取り付け部材３０２の間隔は、図１５における右端のリブ２０６と左端のリブ２０６との間隔より狭い。また、取り付け部材３０２は、取り付け部２０１に取り付けた場合にリブ２０６と干渉しない間隔、すなわちリブ２０６が設けられるピッチと合った間隔を有する。
【００３２】
オプション３０１は、取り付け部材３０２の折り返し部分が取り付け部２０１の上端部に引っかかることにより取り付け部２０１に支持され、リブ２０６によって前後方向のがたつきが規制される。
【００３３】
ここで、リブ２０６と取り付け部材３０２が干渉しなければ、オプション３０１は専用品に限らず、市販の安価なワイヤーバスケットを使用することが可能である。
【００３４】
図１７はメッシュ部材４００を取り付けたナースカート１を示す斜視図、図１８は図１７のナースカート１の正面図、図１９は図１７のナースカート１の右側面図、図２０は図１７の支持アーム２００部分の拡大斜視図、図２１は図１７の支持アーム２００部分の正面図、図２２は図１７の支持アーム２００部分の平面図、図２３は図１７の支持アーム２００部分の右側面図、図２４は図１７の支持アーム２００部分の左側面図である。
【００３５】
図１７から図２４に示すように、取り付け部２０１にはオプション３０１の一例であるメッシュ部材４００を取り付けることができる。
【００３６】
メッシュ部材４００は、網目状に形成されるメッシュ本体部４０１と、メッシュ本体部４０１の上端部に設置される上部支持部４０２Ａと、メッシュ本体部４０１の下端部に設置される下部支持部４０２Ｂと、を備える。
【００３７】
上部支持部４０２Ａは、メッシュ本体部４０１の上部両端部に設けられ、トレイ１０５側に所定の長さ延び、最上段の支持アーム２００の切欠き部２０１Ａから取り付け部２０１の背後に回り込み、さらに所定の長さ延びてリブ２０６の間に延びる。
【００３８】
下部支持部４０２Ｂは、メッシュ部材４００の上部支持部４０２Ａを最上段の支持アーム２００に取り付けた場合、最下段の支持アーム２００の取り付け部２０１に対応する位置に設置される。
【００３９】
下部支持部４０２Ｂは、最下段の支持アーム２００の切欠き部２０１Ａから取り付け部２０１の背後に回り込み、さらに所定の長さ延びてリブ２０６の間に延びる。
【００４０】
メッシュ部材４００は、上部支持部４０２Ａ及び下部支持部４０２Ｂにより支持されることにより、ナースカート１が旋回した場合に煽りを防止できるのみならず、耐荷重を増すことが可能となる。
【００４１】
また、一対の上部支持部４０２Ａと一対の下部支持部４０２Ｂとが、切欠き部２０１Ａから取り付け部２０１の背後に回り込み、さらに所定の長さ延びてリブ２０６の間に延びることにより前後方向のがたつきが防止される。
【００４２】
加えて、メッシュ部材４００を設置することにより、トレイ１０５に載置した物品の落下を防止でき、様々な大きさや形状のオプション３０１を、メッシュ部材４００を介して取り付けることが可能となる。
【００４３】
支持アーム２００は、オプション３０１及びメッシュ部材４００の着脱が可能である。従って、消毒や清掃に便利である。
【００４４】
なお、上記の実施形態においては、一対の支持アーム２００がトレイ１０５を内側に支持する例について説明したが、トレイ１０５の支持形態は問わない。例えば、支持アーム２００はトレイ１０５を上面に支持しても、下面に吊り下げるように支持してもよい。
【００４５】
また、本実施形態においては、取り付け部２０１はトレイ１０５側、すなわち内側に複数のリブ２０６を備える例について説明したが、リブ２０６はなくてもよい。この場合、必要に応じて取り付け部２０１の上端に波状の切欠きを複数設けることもできる。
【００４６】
取り付け部２０１の形態は、図示した実施形態に限られず、支持アーム２００の外面にオプション３０１が有する取り付け部材３０２を係止して支持できる形態の開口部２０２を有していればよい。例えば、支持アーム２００の上面又は下面に開口部２０２があるものも本発明の範囲内である。
【００４７】
以上述べたように、本発明のナースカート１は、物品を載置する天板１０１と、天板１０１を支持する支柱部１０３と、支柱部１０３を支持し、キャスタ１０６を有する脚部１０４と、支柱部１０３に取り付けられてトレイ１０５を支持する支持アーム２００と、を備えたナースカート１であって、支持アーム２００が支柱部１０３への取り付け部位と物理干渉しない位置の外面側にオプション３０１を支持する取り付け部２０１と、を備えることを特徴とする。
【００４８】
従って、本発明によれば、消毒や清掃に便利であり、取り付け可能なオプションを安価に入手可能なナースカート１を提供することができるという効果がある。
【符号の説明】
【００４９】
１  ナースカート
１０１  天板
１０２  ハンドル
１０３  支柱部
１０４  脚部
１０４Ａ  横部材
１０５  トレイ
１０６  キャスタ
１０７  ストッパ
２００  支持アーム
２０１  取り付け部
２０１Ａ  切欠き部
２０２  開口部
２０３  部支持部
２０４  ボルト穴
２０５  突起
２０６  リブ
２０７  板バネ
２０８  ガイド突起
２１０  アーム本体部
２１０Ａ  板状部
２１０Ｂ  上部フランジ部
２１０Ｃ  下部フランジ部
３０１  オプション
３０２  取り付け部材
３０３  オプション本体部
４００  メッシュ部材
４０１  メッシュ本体部
４０２Ａ  上部支持部
４０２Ｂ  下部支持部
【図１】
0006668058.tif 000002
【図２】
0006668058.tif 000003
【図３】
0006668058.tif 000004
【図４】
0006668058.tif 000005
【図５】
0006668058.tif 000006
【図６】
0006668058.tif 000007
【図７】
0006668058.tif 000008
【図８】
0006668058.tif 000009
【図９】
0006668058.tif 000010
【図１０】
0006668058.tif 000011
【図１１】
0006668058.tif 000012
【図１２】
0006668058.tif 000013
【図１３】
0006668058.tif 000014
【図１４】
0006668058.tif 000015
【図１５】
0006668058.tif 000016
【図１６】
0006668058.tif 000017
【図１７】
0006668058.tif 000018
【図１８】
0006668058.tif 000019
【図１９】
0006668058.tif 000020
【図２０】
0006668058.tif 000021
【図２１】
0006668058.tif 000022
【図２２】
0006668058.tif 000023
【図２３】
0006668058.tif 000024
【図２４】
0006668058.tif 000025